(57)【特許請求の範囲】
【請求項１】
各種の情報を表示するＬＣＤと、
このＬＣＤを照明する小型白熱電球と、
複数のキーと、
このキーを照明するＬＥＤとを有し、
外部の電源に接続されていない場合には、上記キーによるキー入力時および着呼時、上記小型白熱電球および上記ＬＥＤを、所定の時間だけ点灯し、
外部の電源に接続されている場合には、上記ＬＥＤを常に点灯するとともに、上記キーによるキー入力時および着呼時、上記小型白熱電球を、所定の時間だけ点灯する
ようにした携帯電話機。
【請求項２】
請求項１に記載の携帯電話機において、
電源投入時、上記小型白熱電球および上記ＬＥＤを、所定の時間だけ点灯する
ようにした携帯電話機。
【発明の詳細な説明】
【０００１】
【産業上の利用分野】
この発明は携帯電話機に関する。
【０００２】
【従来の技術】
携帯電話機には、一般にＬＣＤが設けられ、電話番号など各種の情報を表示できるようにされている。また、その表示を暗い所でも見えるようにするため、ＬＣＤの背面から照明する、いわゆるバックライトが設けられている。
【０００３】
【発明が解決しようとする課題】
ところが、そのバックライトとしてＬＥＤを使用すると、寿命は長いが、明るさや照明の品位などに問題がある。特に、携帯電話機を小型化するため、導光板の厚さを薄くすると、明るさが不足するとともに、むらが出てしまう。
【０００４】
その点、バックライトとして、豆電球（小型の白熱電球）を使用すると、必要な明るさを得ることができるが、寿命が短いので、長時間の使用ができない。すなわち、携帯電話機の車載時には、車載アクセサリ（車載アダプタ）を使用することにより、電源をカーバッテリから取るようにしているので、携帯電話機に内蔵されている電池の消耗を考える必要がない。そこで、夜間での使用を考えて、車載時には、バックライトを常に点灯するようにしている。したがって、バックライトとして寿命の短い豆球を使用すると、長時間の使用ができない。
【０００５】
さらに、ＬＣＤだけでなく、ダイヤルキーや各種の操作キーにも、照明が必要である。
【０００６】
この発明は、以上のような問題点を解決しようとするものである。
【０００７】
【課題を解決するための手段】
このため、この発明においては、
各種の情報を表示するＬＣＤと、
このＬＣＤを照明する小型白熱電球と、
複数のキーと、
このキーを照明するＬＥＤとを有し、
外部の電源に接続されていない場合には、上記キーによるキー入力時および着呼時、上記小型白熱電球および上記ＬＥＤを、所定の時間だけ点灯し、
外部の電源に接続されている場合には、上記ＬＥＤを常に点灯するとともに、上記キーによるキー入力時および着呼時、上記小型白熱電球を、所定の時間だけ点灯する
ようにした携帯電話機
とするものである。
【０００８】
【作用】
携帯電話機を単体で使用している場合には、キー入力時および着呼時、キーおよびＬＣＤが所定の期間だけ照明され、車載で使用している場合には、キーは常に照明されているとともに、キー入力時および着呼時、ＬＣＤが所定の期間だけ照明される。
【０００９】
【実施例】
図２は、この発明による携帯電話機の外観および車載アクセサリの回路の一例を示すもので、符号１０はその携帯電話機、符号５０は車載アクセサリを示す。
【００１０】
そして、携帯電話機１０において、その本体の箱体１１が、プラスチック材により全体として偏平の直方体状に構成され、その上面に、送受信アンテナ１２が設けられ、その正面に受話器用のスピーカ１３、各種の情報を表示するＬＣＤ１４、ダイヤルキー１５および各種の操作キー１６が設けられている。
【００１１】
また、この箱体１１の例えば右側面に、送話器用のマイクロフォン１７が引き出し自在に設けられている。すなわち、マイクロフォンアーム１８が、弾性を有するプラスチック材により筒状に形成され、このマイクロフォンアーム１８の下端が、箱体１１の右側面の下部に回転自在に取り付けられ、その上端には、破線により示すように、マイクロフォン１７が内蔵されている。この場合、マイクロフォンアーム１８は、箱体１１の右側面を含む面内において、かつ、箱体１１の前方側に、回転自在とされている。
【００１２】
こうして、マイクロフォンアーム１８は、第１の状態では、箱体１１の右側面に位置し、第２の状態では、箱体１１の正面に対してほぼ１８０°の位置に回転的に引き出される。また、マイクロフォンアーム１８を引き出したときには、スピーカ１３とマイクロフォン１７との間隔が、一般の電話機などの送話器と受話器との間隔程度となるように、マイクロフォンアーム１８などの長さが設定されている。
【００１３】
さらに、箱体１１の下面には、車載アクセサリ５０などを接続するためのコネクタジャック１９が設けられている。
【００１４】
そして、携帯電話機１０の信号系は、例えば図１に示すように構成される。すなわち、携帯電話機１０には、音声信号やデータなどベースバンドの信号を送信用あるいは受信用に処理するベースバンド回路２１が設けられるとともに、そのベースバンドの信号を送信あるいは受信する高周波回路２２が設けられる。また、この携帯電話機１０を、単体モードと車載モードとに切り換えるためのスイッチ回路２３、２４も設けられる。
【００１５】
さらに、携帯電話機１０には、システム制御用のマイクロコンピュータ３０が設けられる。このマイクロコンピュータ３０は、ＣＰＵ３１、各種のプログラムの書き込まれたＲＯＭ３２およびＲＡＭ（図示せず）などを有し、高周波回路２２の使用するチャンネルやその送受信などの制御を行うとともに、ベースバンド回路２１の制御およびベースバンド回路２１を通じてのデータのアクセスなどを行う。
【００１６】
また、ＲＯＭ３２には、これに書き込まれているプログラムの一部として、例えば図３に示すルーチン１００が用意される。なお、このルーチン１００は、ＬＣＤ１４、ダイヤルキー１５および操作キー１６の照明に関する処理を抜粋して示すものである。
【００１７】
さらに、マイクロコンピュータ３０によりスイッチ回路２３、２４が制御されるとともに、マイクロコンピュータ３０にダイヤルキー１５および操作キー１６の出力が供給される。
【００１８】
また、ＬＣＤ１４は、照明がバックライト式のものとされるとともに、そのバックライトとして導光板（図示せず）および豆電球（小型白熱電球）４１が設けられる。そして、この豆電球４１にドライブ用のトランジスタ４２が接続されるとともに、このトランジスタ４２がマイクロコンピュータ３０によりオン・オフ制御される。
【００１９】
さらに、ダイヤルキー１５および操作キー１６は、そのキートップの全域が、あるいはキートップの少なくとも一部、例えばキートップに記された文字（数字および記号などを含む）の部分が、透明ないし半透明とされるとともに、ダイヤルキー１５のおよび操作キー１６に、それらのバックライトとして、ＬＥＤ４３Ａ〜４３Ｎが設けられる。
【００２０】
この場合、ダイヤルキー１５のおよび操作キー１６の１つのキーに対して、ＬＥＤ４３Ａ〜４３Ｎの１つＬＥＤが対応していてもよく、複数のキーに１つのＬＥＤが対応していてもよい。
【００２１】
そして、これらＬＥＤ４３Ａ〜４３Ｎにドライブ用のトランジスタ４４Ａ〜４４Ｎが接続されるとともに、これらトランジスタ４４Ａ〜４４Ｎが、マイクロコンピュータ３０によりオン・オフ制御される。
【００２２】
さらに、上記したコネクタジャック１９は接点Ａ〜Ｆを有し、これら接点Ａ〜Ｆがそれぞれの回路に接続される。なお、詳細は後述するが、この携帯電話機１０が車載アクセサリ５０に接続されたとき、車載アクセサリ５０からコネクタジャック１９の接点Ｆに所定のレベルの電圧ＶＳＴが供給され、この電圧ＶＳＴによりマイクロコンピュータ３０は、携帯電話機１０が車載アクセサリ５０に接続されているかどうかを知ることができるようにされている。
【００２３】
一方、例えば図２に示すように、車載アクセサリ５０において、その本体装置５１は、アンプ５２、５３および定電圧回路５４などを有するとともに、運転席と助手席との間やダッシュボードの下などに設けられる。そして、この本体装置５１からは、携帯電話機１０のコネクタジャック１９に接続されるコネクタプラグ６１がケーブルコード６２を通じて引き出されている。なお、コネクタプラグ６１は、コネクタジャック１９の接点Ａ〜Ｆに接続される接点Ａ〜Ｆを有する。
【００２４】
また、ハンズフリー用のマイクロフォン６３およびスピーカ６４が、アンプ５２およびアンプ５３に接続される。なお、マイクロフォン６３およびスピーカ６４は、ユーザの好みにより車内の任意の場所に取り付けられる。
【００２５】
さらに、本体装置５１には送受信アンテナ６５が接続されるとともに、この送受信アンテナ６５は自動車のトランクルームの上などに取り付けられる。また、カーバッテリ６６からの電圧が、定電圧回路５４に供給されて所定の電圧に安定化され、この電圧が、携帯電話機１０の電源用としてコネクタプラグ６１に取り出されるとともに、ステータス信号ＶＳＴとしてコネクタプラグ６１に出力される。
【００２６】
このような構成によれば、コネクタジャック１９にコネクタプラグ６１が接続されている場合には、定電圧回路５４からの電圧ＶＳＴが、コネクタプラグ６１の接点Ｆおよびコネクタジャック１９の接点Ｆを通じてマイクロコンピュータ３０に供給される。しかし、コネクタジャック１９にコネクタプラグ６１が接続されていない場合には、コネクタジャック１９の接点Ｆには、なんの電圧も供給されない。
【００２７】
したがって、マイクロコンピュータ３０は、コネクタジャック１９の接点Ｆの電圧レベルをチェックすることにより、携帯電話機１０が車載アクセサリ５０に接続されているか、携帯電話機１０が単体であるかを知ることができる。
【００２８】
そして、携帯電話機１０が単体の場合には、マイクロコンピュータ３０によりスイッチ回路２３、２４が図１の状態に接続される。したがって、自分の音声信号が、マイクロフォン１７からスイッチ回路２３を通じてベースバンド回路２１に供給され、送信時の処理が行われる。そして、この処理後の音声信号が高周波回路２２に供給されて上りチャンネルの送信信号とされ、この送信信号がスイッチ回路２４を通じて送受信アンテナ１２に供給され、基地局へと送信される。
【００２９】
また、基地局からの下りのチャンネルの送信信号が、送受信アンテナ１２により受信され、その受信信号がスイッチ回路２４を通じて高周波回路２２に供給されて相手の音声信号が取り出され、この音声信号がベースバンド回路２１に供給されて受信時の処理が行われる。そして、この処理後の音声信号が、スイッチ回路２３を通じてスピーカ１３に供給される。
【００３０】
こうして、携帯電話機１０が単体の場合には、一般の携帯電話機と同様に使用することができる。
【００３１】
一方、携帯電話機１０が車載アクセサリ５０に接続されている場合には、スイッチ回路２３、２４が、マイクロコンピュータ３０により、図とは逆の状態に接続される。
【００３２】
また、カーバッテリ６６の出力電圧が、定電圧回路５４により安定化されてからコネクタプラグ６１およびコネクタジャック１９を通じて携帯電話機１０にその動作電圧として供給される。
【００３３】
そして、通話時には、自分の音声信号が、マイクロフォン６３→アンプ５２→コネクタプラグ６１→コネクタジャック１９→スイッチ回路２３の音声信号ラインを通じてベースバンド回路２１に供給され、以後、携帯電話機１０が単体の場合と同様にしてその音声信号が上りチャンネルの送信信号とされて高周波回路２２から取り出される。
【００３４】
そして、高周波回路２２からの送信信号が、スイッチ回路２４→コネクタジャック１９→コネクタプラグ６１→本体装置５１の内部配線の高周波信号ラインを通じて送受信アンテナ６５に供給され、基地局へと送信される。
【００３５】
また、基地局からの下りチャンネルの送信信号が送受信アンテナ６５により受信され、上記とは逆に、本体装置５１の内部配線→コネクタプラグ６１→コネクタジャック１９→スイッチ回路２４の高周波信号ラインを通じて高周波回路２２に供給され、この結果、ベースバンド回路２１から相手の音声信号が取り出される。そして、この音声信号が、スイッチ回路２３→コネクタジャック１９→コネクタプラグ６１→アンプ５３の音声信号ラインを通じてスピーカ６４に供給される。
【００３６】
こうして、携帯電話機１０を車載アクセサリ５０に接続した場合、ハンズフリーで通話を行うことができる。
【００３７】
そして、以上のような動作に加えて、携帯電話機１０を車載アクセサリ５０に接続していない場合と、接続している場合とでは、ＬＣＤ１４、ダイヤルキー１５および操作キー１６に対する照明が、照明ルーチン１００により、以下のように制御される。
【００３８】
すなわち、携帯電話機１０の電源を投入すると、ＣＰＵ３１による照明ルーチン１００の処理がスタートし、まず、ステップ１０１において、トランジスタ４２、４４Ａ〜４４Ｎが例えば５秒間だけオンにされ、この結果、豆電球４１およびＬＥＤ４３Ａ〜４３Ｎが５秒間だけ点灯してＬＣＤ１４、ダイヤルキー１５および操作キー１６が５秒間だけ照明される。したがって、これにより、電源の入ったことを確認できる。
【００３９】
続いて、ＣＰＵ３１の処理がステップ１０２に進み、このステップ１０２において、コネクタジャック１９の接点Ｆにステータス電圧ＶＳＴが得られるかどうかをチェックすることにより、携帯電話機１０が車載アクセサリ５０に接続されているかどうか、すなわち、携帯電話機１０が車載されているかどうかが判断される。
【００４０】
そして、車載されていない場合（携帯電話機１０を単体で使用している場合）には、処理はステップ１０２からステップ１０３に進み、このステップ１０３において、ダイヤルキー１５あるいは操作キー１６からの入力があるかどうかがチェックされる。
【００４１】
そして、キー入力がないときには、処理はステップ１０３からステップ１０４に進み、このステップ１０４において、ベースバンド回路２１からのデータを見ることにより着呼要求があるかどうかがチェックされ、ないときには、処理はステップ１０４からステップ１０２に戻る。
【００４２】
こうして、待機時には、ダイヤルキー１５および操作キー１６のキー入力と、着呼要求がモニタされている。
【００４３】
そして、キー入力あるいは着呼要求があると、これがステップ１０３あるいはステップ１０４において検出され、ＣＰＵ３１の処理は、ステップ１０３あるいはステップ１０４からステップ１０５に進む。
【００４４】
そして、このステップ１０５において、トランジスタ４２、４４Ａ〜４４Ｎがオンにされ、したがって、豆電球４１およびＬＥＤ４３Ａ〜４３Ｎが点灯してＬＣＤ１４、ダイヤルキー１５および操作キー１６が照明される。
【００４５】
続いて、ＣＰＵ３１の処理はステップ１０６に進み、このステップ１０６において、ステップ１０５が実行されてから、すなわち、豆電球４１およびＬＥＤ４３Ａ〜４３Ｎが点灯してから、例えば１０秒が経過したかどうかがチェックされ、経過していないときには、ステップ１０６が繰り返される。
【００４６】
したがって、このステップ１０６により、豆電球４１およびＬＥＤ４３Ａ〜４３Ｎは、１０秒の間、点灯することになる。
【００４７】
そして、その１０秒が経過すると、処理はステップ１０６からステップ１０７に進み、このステップ１０７において、トランジスタ４２、４４Ａ〜４４Ｎがすべてオフにされ、したがって、豆電球４１およびＬＥＤ４３Ａ〜４３Ｎは消灯される。そして、その後、処理はステップ１０２に戻る。
【００４８】
したがって、携帯電話機１０を単体で使用している場合には、ダイヤルキー１５あるいは操作キー１６に対するキー入力あるいは着呼があると、そのときから、１０秒間だけ、ＬＣＤ１４、ダイヤルキー１５および操作キー１６が照明されるので、暗い場所でも、そのキー入力や着呼に対応できる。
【００４９】
一方、ステップ１０２において、携帯電話機１０が車載されている場合（車載アクセサリ５０に接続されている場合）には、処理はステップ１０２からステップ１１１に進み、このステップ１１１において、トランジスタ４４Ａ〜４４ＮがオンとされてＬＥＤ４３Ａ〜４３Ｎが点灯され、ダイヤルキー１５および操作キー１６が照明される。ただし、トランジスタ４２はオフのままとされ、豆電球４１は点灯されない。
【００５０】
続いて、ＣＰＵ３１の処理はステップ１１２に進み、このステップ１１２において、ダイヤルキー１５あるいは操作キー１６からの入力があるかどうかがチェックされる。
【００５１】
そして、キー入力がないときには、処理はステップ１１２からステップ１１２に進み、このステップ１１２において、ベースバンド回路２１からのデータを見ることにより着呼要求があるかどうかがチェックされ、ないときには、処理はステップ１１３からステップ１０２に戻る。
【００５２】
こうして、待機時には、ダイヤルキー１５および操作キー１６のキー入力と、着呼要求がモニタされている。
【００５３】
そして、キー入力あるいは着呼要求があると、これがステップ１１２あるいはステップ１１２において検出され、ＣＰＵ３１の処理は、ステップ１１２あるいはステップ１１３からステップ１１４に進む。そして、このステップ１１４において、トランジスタ４２がオンにされ、
したがって、豆電球４１が点灯してＬＣＤ１４が照明される。なお、このとき、ＬＥＤ４３Ａ〜４３Ｎは、引き続きオンとされ、したがって、ＬＥＤ４３Ａ〜４３Ｎも照明されている。
【００５４】
続いて、ＣＰＵ３１の処理はステップ１１５に進み、このステップ１１５において、ステップ１１４が実行されてから、すなわち、豆電球４１（およびＬＥＤ４３Ａ〜４３Ｎ）が点灯してから、例えば１０秒が経過したかどうかがチェックされ、経過していないときには、ステップ１１５が繰り返される。したがって、このステップ１１５により、豆電球４１およびＬＥＤ４３Ａ〜４３Ｎは、１０秒の間、点灯することになる。
【００５５】
そして、その１０秒が経過すると、処理はステップ１１５からステップ１１６に進み、このステップ１１６において、トランジスタ４２がオフにされ、したがって、豆電球４１は消灯される。ただし、トランジスタ４４Ａ〜４４Ｎはオンのままとされ、したがって、ＬＥＤ４３Ａ〜４３Ｎは点灯したままで、ダイヤルキー１５および操作キー１６は照明されている。そして、その後、処理はステップ１０２に戻る。
【００５６】
したがって、携帯電話機１０を車載アクセサリ５０に接続して使用している場合には、ＬＥＤ４３Ａ〜４３Ｎが常に点灯していてダイヤルキー１５および操作キー１６は常に照明されている。
【００５７】
そして、ダイヤルキー１５あるいは操作キー１６に対するキー入力あるいは着呼があると、そのときから、１０秒間だけ、豆電球４１も点灯してＬＣＤ１４も照明されるので、暗い場所でも、そのキー入力や着呼に対応できる。
【００５８】
こうして、この携帯電話機１０によれば、ＬＣＤ１４を豆電球４１により照明するようにしているので、導光板が薄くても、ＬＣＤ１４を十分な明るさで照明することができるとともに、むらのない照明をすることができる。
【００５９】
また、ＬＣＤ１４の照明は、ダイヤルキー１５あるいは操作キー１６のキー入力か、着呼があったときの例えば１０秒間としているので、豆電球４１の寿命が短くても、長い時間、使用することができる。
【００６０】
さらに、豆電球４１による照明は、キー入力があったとき、および着呼があったときの例えば１０秒間なので、携帯電話機１０を単体で使用している場合でも、内蔵電池の消耗を考える必要がない。また、車載時には、ダイヤルキー１５および操作キー１６が常に照明されているので、夜間の使用でも問題がない。
【００６１】
なお、上述においては、車載アクセサリ５０からのステータス電圧ＶＳＴより、携帯電話機１０が車載アクセサリ５０に接続されているかどうかを認識するようにしたが、コネクタプラグ６１がコネクタジャック１９に差し込まれたときと、差し込まれないときで、メカニカルにオン・オフ制御されるスイッチを設け、そのスイッチ出力から携帯電話機１０が車載アクセサリ５０に接続されているかどうかを検出することもできる。
【００６２】
【発明の効果】
この発明によれば、ＬＣＤ１４を豆電球４１により照明するようにしているので、照明の品位が向上する。また、導光板を薄くすることができる。さらに、豆電球４１の寿命が短くても、長い時間、使用することができる。
【００６３】
また、携帯電話機１０を単体で使用している場合でも、内蔵電池の消耗を考える必要がない。さらに、車載時、夜間の使用でも問題がない。
【図面の簡単な説明】
【図１】この発明の一例を示す系統図である。
【図２】この発明の一例を説明するための図である。
【図３】この発明の一例を示すフローチャートである。
【符号の説明】
１０  携帯電話機
１３  スピーカ（受話器用）
１４  ＬＣＤ
１５  ダイヤルキー
１６  操作キー
１７  マイクロフォン（送話器用）
１９  コネクタジャック
２１  ベースバンド回路
２２  高周波回路
３０  マイクロコンピュータ
４１  豆電球（小型白熱電球）
４３  ＬＥＤ
５０  車載アクセサリ
５４  定電圧回路
６１  コネクタプラグ
６３  マイクロフォン（送話用）
６４  スピーカ（受話用）
６６  カーバッテリ
１００  照明ルーチン
【図１】
0003565295.tif 000002
【図２】
0003565295.tif 000003
【図３】
0003565295.tif 000004